(57)【要約】【課題】制御装置の内部のコントローラを効率よく放熱する。【解決手段】壁面１０１ａの内側の空間には、穴１１２から排気口１１４に至る空気の第１の流路１５０が形成される。この空気の第１の流路１５０に、コントローラ、遮断器、開閉器及び端子が配置されている。このため、自然換気が行われることにより穴１１２から流入した空気は、第１の流路１５０を通過して排気口１１４から排出される。これにより、コントローラ等の放熱が行われる。【選択図】図５
2020013951.tif 000002
【特許請求の範囲】
【請求項１】
筐体と、
前記筐体の下部に形成される吸気口と、
前記筐体の上部に形成される排気口と、
前記筐体の内部において、前記吸気口から前記排気口に至る空気の第１の流路と、
前記第１の流路に設置され、複数の送風機を制御するコントローラと、
を備えることを特徴とする送風機の制御装置。
【請求項２】
前記筐体は、内壁面と前記内壁面を覆う外壁面とからなり、
前記内壁面と前記外壁面との間の空間に前記吸気口から前記排気口に至る空気の第２の流路を備えることを特徴とする請求項１に記載の送風機の制御装置。
【請求項３】
前記コントローラは、気象状況が所定の条件を満たした場合に、前記送風機を作動させることを特徴とする請求項１又は２に記載の送風機の制御装置。
【請求項４】
前記コントローラは、気温が第１の温度以上である場合に前記送風機を作動させることを特徴とする請求項３に記載の送風機の制御装置。
【請求項５】
前記コントローラは、気温が前記第１の温度より低い第２の温度以下である場合に前記送風機を作動させることを特徴とする請求項４に記載の送風機の制御装置。
【請求項６】
前記コントローラは、風速が所定の風速以上である場合に前記送風機を停止させることを特徴とする請求項３に記載の送風機の制御装置。
【請求項７】
前記コントローラは、雨を検知した場合に前記送風機を停止させることを特徴とする請求項３に記載の送風機の制御装置。
【請求項８】
前記コントローラは、雪を検知した場合に前記送風機を停止させることを特徴とする請求項３に記載の送風機の制御装置。
【請求項９】
タイマを備え、
前記コントローラは、前記タイマにより設定された時間内において、前記送風機を作動させることを特徴とする請求項１〜８の何れか１項に記載の送風機の制御装置。
【発明の詳細な説明】
【技術分野】
【０００１】
本発明は、ゴルフ場等に設置される送風機を制御する送風機の制御装置に関する。
【背景技術】
【０００２】
従来より、各種の制御盤において、当該制御盤の放熱を行う構造が提案されている。例えば特許文献１及び２では、制御盤の底面と上部に開口部が設けられ、外部から空気を取り入れ、自然換気により制御盤の放熱を行う。
【先行技術文献】
【特許文献】
【０００３】
【特許文献１】登録実用新案第３２０９６５５号公報
【特許文献２】特開２０１６−２２５３２８号公報
【発明の概要】
【発明が解決しようとする課題】
【０００４】
ところで、ゴルフ場の防霜及び芝生の蒸れ対策（防湿）として送風機が用いられることがある。しかし、上述した特許文献１、２では、制御盤の内部のコントローラを効率よく放熱することができない。
【０００５】
上記に鑑み、本発明は、制御装置の内部のコントローラを効率よく放熱する送風機の制御装置を提供することを目的とする。
【課題を解決するための手段】
【０００６】
上記目的を達成するために、本発明に係る送風機の制御装置は、
筐体と、
前記筐体の下部に形成される吸気口と、
前記筐体の上部に形成される排気口と、
前記筐体の内部において、前記吸気口から前記排気口に至る空気の第１の流路と、
前記第１の流路に設置され、複数の送風機を制御するコントローラと、
を備える。
【０００７】
前記筐体は、内壁面と前記内壁面を覆う外壁面とからなり、
前記内壁面と前記外壁面との間の空間に前記吸気口から前記排気口に至る空気の第２の流路を備えるようにしてもよい。
【０００８】
前記コントローラは、気象状況が所定の条件を満たした場合に、前記送風機を作動させるようにしてもよい。
【０００９】
前記コントローラは、気温が第１の温度以上である場合に前記送風機を作動させるようにしてもよい。
【００１０】
前記コントローラは、気温が前記第１の温度より低い第２の温度以下である場合に前記送風機を作動させるようにしてもよい。
【００１１】
前記コントローラは、風速が所定の風速以上である場合に前記送風機を停止させるようにしてもよい。
【００１２】
前記コントローラは、雨を検知した場合に前記送風機を停止させるようにしてもよい。
【００１３】
前記コントローラは、雪を検知した場合に前記送風機を停止させるようにしてもよい。
【００１４】
タイマを備え、
前記コントローラは、前記タイマにより設定された時間内において、前記送風機を作動させるようにしてもよい。
【発明の効果】
【００１５】
本発明によれば、制御装置の内部のコントローラを効率よく放熱することができる。
【図面の簡単な説明】
【００１６】
【図１】送風機の制御装置の外観斜視図である。
【図２】送風機の制御装置の内部構造を示す第１の側面図である。
【図３】送風機の制御装置の底面図である。
【図４】送風機の制御装置の第２の側面図である。
【図５】送風機の制御装置の内部の空気の流路を示す第３の側面図である。
【図６】送風機の制御装置の動作を示すフローチャートである。
【発明を実施するための形態】
【００１７】
以下、本発明の実施形態について図面を参照しながら詳細に説明する。
【００１８】
図１は、本発明の実施形態に係る送風機の制御装置の外観斜視図、図２は、送風機の制御装置の内部構造を示す第１の側面図、図３は、送風機の制御装置の底面図、図４は、送風機の制御装置の第２の側面図である。
【００１９】
図１〜図４に示す送風機の制御装置（制御盤）１００は、ゴルフ場において、ホール毎に設けられた図示しない送風機（ファン）の運転を制御するものである。
【００２０】
図１に示すように、送風機の制御装置１００は、取り付け部１１５にステンレスバンド２１０を通すことにより、建柱２００に締結されている。送風機の制御装置１００は、筐体がケース１００ａ及び前側に設けられた開閉自在な扉１００ｂにより構成される。図中１０２は前方に傾斜する屋根を備えた上蓋であり、傾斜により、雨水を流しやすくする。
【００２１】
図２は、送風機の制御装置１００において扉１００ｂを開放した状態を−Ｘ方向から見た図である。図２に示すように、ケース１００ａ内には、上方（＋Ｚ方向）から順に、コントローラ１０４、遮断器１０８、開閉器１０９及び端子１１０が配置されている。また、コントローラ１０４には、タイマ１０６が内蔵されている。コントローラ１０４は、送風機の運転を制御する。
【００２２】
図３は、送風機の制御装置１００を−Ｚ方向から見た図である。図３に示すように、ケース１００ａの底面（−Ｚ方向の端部の面）には、吸気口としての４つの穴１１２が形成されている。穴１１２により、ケース１００ａの内部と外部とは通気した状態となる。
【００２３】
図４は、送風機の制御装置１００を＋Ｘ方向から見た図である。図４に示すように、ケース１００ａの上部（＋Ｚ方向の端部）には、排気口１１４が設けられている。排気口１１４により、ケース１００ａの内部と外部とは通気した状態となる。すなわち、ケース１００ａの内部は、穴１１２から排気口１１４まで通気した状態となる。
【００２４】
図５は、送風機の制御装置の内部の空気の流路を示す第３の側面図である。図５に示すように、ケース１００ａの内部には、当該ケース１００ａに沿って壁面１０１ａが形成されている。このような構造により、ケース１００ａは外壁面となり、壁面１０１ａは、ケース１００ａに覆われた内壁面となる。
【００２５】
壁面１０１ａの内側の空間には、穴１１２から排気口１１４に至る空気の第１の流路１５０が形成される。この空気の第１の流路１５０に、上述したコントローラ１０４、遮断器１０８、開閉器１０９及び端子１１０が配置されている。
【００２６】
また、内壁面である壁面１０１ａと外壁面であるケース１００ａとの間の空間には穴１１２から排気口１１４に至る空気の第２の流路１５２が形成される。自然換気により穴１１２から流入した空気は、開口１５０ａ、１５２ａより第１、第２の流路１５０、１５２を経由し、この第１の流路１５０の開口１５０ｂ及び第２の流路１５２の開口１５２ｂを通り排気口１１４から、それぞれ排出される。これにより、コントローラ１０４、遮断器１０８、開閉器１０９及び端子１１０の放熱が行われる。
【００２７】
図６は、送風機の制御装置１００の動作を示すフローチャートである。
【００２８】
送風機の制御装置１００内のコントローラ１０４は、まず、運転モードが自動であるか手動であるかを判定する（ステップＳ１０１）。例えば、コントローラ１０４内には運転モードの自動と手動とを切り換える図示しないスイッチが設けられている。コントローラ１０４は、このスイッチの状態により、運転モードが自動であるか手動であるかを判定する。
【００２９】
運転モードが手動である場合（ステップＳ１０１で手動）、コントローラ１０４は、手動での運転を行うための図示しないスイッチがオンであるか否かを判定する（ステップＳ１０２）。スイッチがオンである場合（ステップＳ１０２：ＹＥＳ）、コントローラ１０４は、送風機の運転を開始する（ステップＳ１１０）。一方、スイッチがオンでない場合（ステップＳ１０２：ＮＯ）、コントローラ１０４は、再び、運転モードが自動であるか手動であるかを判定する（ステップＳ１０１）。
【００３０】
また、運転モードが自動である場合（ステップＳ１０１で自動）、コントローラ１０４は、内蔵するタイマ１０６によって設定された時刻内であるか否かを判定する（ステップＳ１０３）。例えば、タイマ１０６は、例えば１８時〜７時等の１日の時刻を設定可能である。
【００３１】
タイマ１０６によって設定された時刻内でない場合（ステップＳ１０３：ＮＯ）、コントローラ１０４は、再び、内蔵するタイマ１０６によって設定された時刻内であるか否かを判定する（ステップＳ１０３）。
【００３２】
一方、タイマ１０６によって設定された時刻内である場合（ステップＳ１０３：ＹＥＳ）、コントローラ１０４は、モードが夏モードであるか冬モードであるかを判定する（ステップＳ１０４）。例えば、コントローラ１０４内には夏モードと冬モードとを切り換える図示しないスイッチが設けられている。コントローラ１０４は、このスイッチの状態により、モードが夏モードであるか冬モードであるかを判定する。
【００３３】
モードが夏モードである場合（ステップＳ１０４で夏モード）、コントローラ１０４は、気温が第１温度（例えば２５度又は２８度）以上（気温上昇時動作）であるか否かを判定する（ステップＳ１０５）。例えば、ゴルフ場内には、図示しない１又は複数の気温センサが設けられている。コントローラ１０４は、この気温センサによって検知された気温が第１温度以上であるか否かを判定する。
【００３４】
一方、モードが冬モードである場合（ステップＳ１０４で冬モード）、コントローラ１０４は、気温が第１温度より低い第２温度（例えば５度）以下であるか否かを判定する（ステップＳ１０６）。例えば、コントローラ１０４は、気温センサによって検知された気温が第２温度以下であるか否かを判定する。気温が第１温度以上でない場合（ステップＳ１０５：ＮＯ）、あるいは、気温が第２温度以下でない場合（ステップＳ１０６：ＮＯ）、コントローラ１０４は、再び、内蔵するタイマ１０６によって設定された時刻内であるか否かを判定する（ステップＳ１０３）。
【００３５】
気温が第１温度以上である場合（ステップＳ１０５：ＹＥＳ）、あるいは、気温が第２温度以下である場合（ステップＳ１０６：ＹＥＳ）、コントローラ１０４は、所定風速以下であるか否かを判定する（ステップＳ１０７）。例えば、ゴルフ場内には、図示しない１又は複数の風速センサが設けられている。コントローラ１０４は、この風速センサによって検知された風速が所定風速以下であるか否かを判定する。風速が所定風速以下である場合には、霜が発生するとみなされ、風速が所定風速を超える場合には、霜が発生しないとみなされる。また、風速が所定風速を超える場合には、送風機内の羽根（図示せず）に負荷がかかることを防止すべく、送風機を運転しないことが望ましい。そこで、所定風速以下でない場合（ステップＳ１０７：ＮＯ）、コントローラ１０４は、送風機の運転をせず、再び、内蔵するタイマ１０６によって設定された時刻内であるか否かを判定する（ステップＳ１０３）。
【００３６】
所定風速以下である場合（ステップＳ１０７：ＹＥＳ）、コントローラ１０４は、雨を検知したか否かを判定する（ステップＳ１０８）。例えば、ゴルフ場内には、図示しない１又は複数の雨センサが設けられている。コントローラ１０４は、この雨センサによって雨が検知されたか否かを判定する。雨が検知されない場合には、霜が発生するとみなされ、雨が検知された場合には、霜が発生しないとみなされる。そこで、雨を検知した場合（ステップＳ１０８：ＹＥＳ）、コントローラ１０４は、送風機の運転をせず、再び、内蔵するタイマ１０６によって設定された時刻内であるか否かを判定する（ステップＳ１０３）。
【００３７】
雨を検知していない場合（ステップＳ１０８：ＮＯ）、コントローラ１０４は、雪を検知したか否かを判定する（ステップＳ１０９）。例えば、ゴルフ場内には、図示しない１又は複数の雪センサが設けられている。コントローラ１０４は、この雪センサによって雪が検知されたか否かを判定する。雪が検知されない場合には、霜が発生するとみなされ、雪が検知された場合には、霜が発生しないとみなされる。そこで、雪を検知しない場合（ステップＳ１０９：ＮＯ）、コントローラ１０４は、送風機の運転を開始する（ステップＳ１１０）。
【００３８】
雪を検知した場合（ステップＳ１０９：ＹＥＳ）、コントローラ１０４は、再び、タイマ１０６によって設定された時刻内であるか否かを判定する（ステップＳ１０３）。
【００３９】
このように、本実施形態の送風機の制御装置１００では、壁面１０１ａの内側の空間には、穴１１２から排気口１１４に至る空気の第１の流路１５０が形成される。この空気の第１の流路１５０に、上述したコントローラ１０４、遮断器１０８、開閉器１０９及び端子１１０が配置されている。このため、自然換気により穴１１２から流入した空気は、第１の流路１５０を通過して排気口１１４から排出される。これにより、コントローラ１０４、遮断器１０８、開閉器１０９及び端子１１０の放熱が行われる。
【００４０】
また、第１の流路１５０に加えて、内壁面である壁面１０１ａと外壁面であるケース１００ａとの間の空間には穴１１２から排気口１１４に至る空気の第２の流路１５２が形成される。自然換気により穴１１２から流入した空気は、これら第１の流路１５０及び第２の流路１５２を通過して排気口１１４から排出される。これにより、コントローラ１０４、遮断器１０８、開閉器１０９及び端子１１０の放熱がより効率よく行われる。
【００４１】
また、本実施形態の送風機の制御装置１００では、運転モードが自動であり、且つ、タイマ１０６の設定時刻内である場合には、コントローラ１０４は、送風機の運転を開始する。
【００４２】
具体的には、コントローラ１０４は、夏モードで気温が第１温度以上である場合、気温を低下させて芝生の蒸れを防止（防湿）するために送風機を運転し、冬モードで気温が第２温度以下である場合には、防霜のために送風機を運転する。また、コントローラ１０４は、所定風速を超える場合には送風機を運転せず、所定風速以下の場合には防霜等のために送風機を運転する。また、コントローラ１０４は、雨や雪を検知した場合には送風機を運転せず、検知した場合には送風機を運転する。このような送風機の運転制御を行うことにより、ゴルフ場の環境を適切に維持することができる。
【００４３】
本発明は、本発明の広義の精神と範囲を逸脱することなく、様々な実施形態及び変形が可能とされるものである。上述した実施形態は、本発明を説明するためのものであり、本発明の範囲を限定するものではない。
【００４４】
例えば、上述した実施形態では、壁面１０１ａの内側の空間には、穴１１２から排気口１１４に至る空気の第１の流路１５０と、内壁面である壁面１０１ａと外壁面であるケース１００ａとの間の空間には穴１１２から排気口１１４に至る空気の第２の流路１５２との双方が形成されるようにしたが、何れか一方でもよい。
【００４５】
また、上述した実施形態では、コントローラ１０４は、夏モードで気温が第１温度以上である場合、冬モードで気温が第２温度以下である場合、所定風速以下の場合、雨や雪を検知した場合には、それぞれ送風機を停止したが、これらは全て実施する必要はなく適宜組み合わせて実施してもよい。
【符号の説明】
【００４６】
１００  送風機の制御装置
１００ａ  ケース
１００ｂ  扉
１０１ａ  壁面
１０２  上蓋
１０４  コントローラ
１０６  タイマ
１０８  遮断器
１０９  開閉器
１１０  端子
１１２  穴
１１４  排気口
１１５  取り付け部
１５０  空気の第１の流路
１５０ａ、１５０ｂ、１５２ａ、１５２ｂ  開口
１５２  空気の第２の流路
２００  建柱
２１０  ステンレスバンド
【図１】
2020013951.tif 000003
【図２】
2020013951.tif 000004
【図３】
2020013951.tif 000005
【図４】
2020013951.tif 000006
【図５】
2020013951.tif 000007
【図６】
2020013951.tif 000008